(57)【要約】【課題】  時事折々の表情の変化を、人の力で分析判断していたものを、コンピュータシステムを利用して行うことにより、客観的で均一的なデータを取得する。【解決手段】  コンピュータシステムに、カメラ、各種メモリ等の記録媒体から表情分析対象データを取り込み、表情基礎データとの比較判断を行なうプログラムにより、分析し結果データの提供を行う。また対象データや結果データの保存を行い、データの共有や検索を可能とする。【選択図】図１
2011154665.tif 000002
【特許請求の範囲】
【請求項１】
平常時の表情と、時々刻々の表情の変化をコンピュータシステムを利用して比較をし、時点ごとの心理状態を客観的に分析する方法。
【発明の詳細な説明】
【技術分野】
【０００１】  この発明は平常時の顔を基準とし、感情の変化や周辺環境により変化した状態の顔の表情を定時的あるいは随時取得して、その時点時点のの心理状態を分析して、客観的なデータとして提供する方法である。
【背景技術】
【０００２】  従来、心理状態の判断は、分析する医師・医療その他の機関の専門技術者等が豊富な経験から割り出して判断をされてきたことは周知の事実である。しかしながら、分析する者が「人」である限り、「主観的」要因が加味されることが全くないと断言できるものではない。分析する者の感情、体調、周辺状況、気候状況等々により、結果に揺れが出ることは避けられない事実である。そのような状況が病的な患者への対応の際万が一にも悪い影響が出ることがあれば由々しき事態に発展することは容易に判断できる。この点を、「機械」という「感情」を有しない道具に、客観的な基礎資料を提供させることにより、誰でもが、同一の分析情報を得ることができ、客観的な分析結果が導き出せる。
【発明の開示】
【発明が解決しようとする課題】
【０００３】    これまでは次のような問題点があった。
・分析する者個別に判断結果に差異が発生する。
・客観的に分析データを作成する仕組みがなかった。
・根拠となる基礎データがあいまいである。
・他の分析する者との情報共有ができにくく、あいまいになる場合が多い。
・観察データの結果の保存や管理の負担が大きい。
・過去の分析データの検索が困難である。
本発明は以上のような欠点を解決するためになされたものである。
【課題を解決するための手段】
【０００４】  コンピュータシステムに、カメラ、各種メモリ等の記録媒体から分析対象データを取り込み、基礎データとの比較判断を行ない、以下の方法により、分析し結果データの提供を行う。
（１）時々刻々に変化する表情を定時的あるいは、時系列的に数値化することにより、判断の基礎となる情報を数値化する。
（２）表情が変化しない状態の経過時間を取得する。
（３）上記（１）及び（２）で取得した数値や経過時間と基準値との差を、多角的に分析し、複数件の客観的な基礎判断情報を提供する。
（４）調査時の周辺環境や、調査対象者の生活環境等を加味してさらに精度の高い情報の提供を行う。
（５）対象データや結果データを記録媒体への保存して、検索や管理を行う。。
（６）取得したデータを画面や帳票への出力を行う。
（７）ネットワークや記録媒体等を介してのデータの共有を行う。
【発明の効果】
【０００５】  これまで、人に頼ってきたことを、コンピュータシステムで分析することにより、分析結果データは常に客観的なものとなる。さらに、気候、気温、時間、環等周辺状況を加味した情報処理を行わせることにより、精密な分析データの取得が可能となる。加えてコンピュータ化することにより、記録の保存・共有・検索が容易になり、課題で述べた欠点は一気に解決される。
【発明を実施するための最良の形態】
【０００６】・平常時の表情を、いくつかの角度から撮影した、静止画を基礎データとして登録する。
・リアルタイムに撮影した動画や、特定時間内を複数枚の静止画で時系列に撮影した表情と、基礎データを突き合わせて、差異を数値化して取り出す。
・変動値を多角的に計算して、多方面から多岐にわたって、客観的な判断情報を作り出す。
・結果を、記録媒体や紙、画面に出力する。
・再検索、類似データの照合、複数コンピュータでの連携検索処理を行う。
・保存した過去データの検索を行う。
［選択図］
図１
【産業上の利用可能性】
【０００７】この発明は、これまで機械化された事例が少ないため、単純に相対的な比較はできないが、応用範囲として、
・心理分析、臨床実験、診断
・精神鑑定
・美容整形処置施術効果の判定
・教育や技術教育後の能力向上と自覚の評価基準
・犯罪心理の分野への応用
・安全運転監視
など、多岐にわたり社会的に役に立つ発明である。
【図１】
2011154665.tif 000003
【手続補正書】
【提出日】平成22年3月14日(2010.3.14)
【手続補正１】
【補正対象書類名】明細書
【補正対象項目名】全文
【補正方法】変更
【補正の内容】
【発明の詳細な説明】
【技術分野】
【０００１】  この発明は平常時の顔を基準とし、感情の変化や周辺環境により変化した状態の顔の表情を定時的あるいは随時取得して、その時点時点のの心理状態を分析して、客観的なデータとして提供する方法である。
【背景技術】
【０００２】  従来、心理状態の判断は、分析する医師・医療その他の機関の専門技術者等が豊富な経験から割り出して判断をされてきたことは周知の事実である。しかしながら、分析する者が「人」である限り、「主観的」要因が加味されることが全くないと断言できるものではない。分析する者の感情、体調、周辺状況、気候状況等々により、結果に揺れが出ることは避けられない事実である。そのような状況が病的な患者への対応の際万が一にも悪い影響が出ることがあれば由々しき事態に発展することは容易に判断できる。この点を、「機械」という「感情」を有しない道具に、客観的な基礎資料を提供させることにより、誰でもが、同一の分析情報を得ることができ、客観的な分析結果が導き出せる。
【発明の開示】
【発明が解決しようとする課題】
【０００３】  これまでは次のような問題点があった。    ・分析する者個別に判断結果に差異が発生する。    ・客観的に分析データを作成する仕組みがなかった。    ・根拠となる基礎データがあいまいである。    ・他の分析する者との情報共有ができにくく、あいまいになる場合が多い。    ・観察データの結果の保存や管理の負担が大きい。    ・過去の分析データの検索が困難である。  本発明は以上のような欠点を解決するためになされたものである。
【課題を解決するための手段】
【０００４】  コンピュータシステムに、カメラ、各種メモリ等の記録媒体から分析対象データを取り込み、基礎データとの比較判断を行ない、以下の方法により、分析し結果データの提供を行う。（１）時々刻々に変化する表情を定時的あるいは、時系列的に数値化することにより、判断の基礎となる情報を数値化する。（２）表情が変化しない状態の経過時間を取得する。（３）上記（１）及び（２）で取得した数値や経過時間と基準値との差を、多角的に分析し、複数件の客観的な基礎判断情報を提供する。（４）調査時の周辺環境や、調査対象者の生活環境等を加味してさらに精度の高い情報の提供を行う。（５）対象データや結果データを記録媒体への保存して、検索や管理を行う。（６）取得したデータを画面や帳票への出力を行う。（７）ネットワークや記録媒体等を介してのデータの共有を行う。
【発明の効果】
【０００５】これまで、人に頼ってきたことを、コンピュータシステムで分析することにより、分析結果データは常に客観的なものとなる。さらに、気候、気温、時間、環等周辺状況を加味した情報処理を行わせることにより、精密な分析データの取得が可能となる。加えてコンピュータ化することにより、記録の保存・共有・検索が容易になり、課題で述べた欠点は一気に解決される。
【図面の簡単な説明】
【０００６】
【図１】本発明の実施の方法を示す図である。
【発明を実施するための最良の形態】
【０００７】・平常時の表情を、いくつかの角度から撮影した、静止画を基礎データとして登録する。・リアルタイムに撮影した動画や、特定時間内を複数枚の静止画で時系列に撮影した表情と、基礎データを突き合わせて、差異を数値化して取り出す。・変動値を多角的に計算して、多方面から多岐にわたって、客観的な判断情報を作り出す。・結果を、記録媒体や紙、画面に出力する。・再検索、類似データの照合、複数コンピュータでの連携検索処理を行う。・保存した過去データの検索を行う。〔選択図〕  図１
【産業上の利用可能性】
【０００８】この発明は、これまで機械化された事例が少ないため、単純に相対的な比較はできないが、応用範囲として、・心理分析、臨床実験、診断・精神鑑定・美容整形処置施術効果の判定・教育や技術教育後の能力向上と自覚の評価基準・犯罪心理の分野への応用・安全運転監視など、多岐にわたり社会的に役に立つ発明である。